(57)【特許請求の範囲】
【請求項１】
一対の装飾可動体は、下端部が支軸により軸着されたアーム部の上端に一方の枠状装飾部材を延設してなる一方の装飾可動体と、上端部が支軸により軸着されたアーム部の下端に他方の枠状装飾部材を延設してなる他方の装飾可動体とからなり、一方の装飾可動体のアーム部と他方の装飾可動体のアーム部を前後に交差させることで、一方の枠状装飾部材が電子ディスプレイの前面の上部に配置され、他方の枠状装飾部材が電子ディスプレイの下部に配置され、一方の装飾可動体のアーム部に支持ピンを設け、他方の装飾可動体のアーム部に該支持ピンが遊挿される保持孔を設けることで互いのアーム部を枢着し、一方の装飾可動体のアーム部に電動アクチュエータを連繋し、該電動アクチュエータを駆動し一方の装飾可動体を揺動させることで該揺動が前記支持ピンを介して他方の装飾可動体に伝達され、これにより一方の装飾可動体が下降するのと連動して他方の枠状装飾部材が上昇して電子ディスプレイの前面に出現し、一方の枠状装飾部材が上昇するのと連動して他方の枠状装飾部材が下降して電子ディスプレイの前面から退避するように構成され、
前記電子ディスプレイの表示を制御する画像制御回路と、前記電動アクチュエータを制御する仕掛制御回路とを備え、遊技盤に設けられた始動入賞口に遊技球が入賞することにより大当たりであるかハズレであるかが判定され、その判定結果に則して複数の演出の中から１の演出が選択され、特定条件が満たされた場合に前記仕掛制御回路は電動アクチュエータを駆動させることで前記枠状装飾部材を電子ディスプレイの前面に出現させるとともに前記画像制御回路は電子ディスプレイの該枠状装飾部材によって区画された部分に大当たりを予告する予告表示をすることで該電子ディスプレイに該予告表示を区画表示した後、前記仕掛制御回路は前記電動アクチュエータを駆動させることで前記枠状装飾部材を該電子ディスプレイの前面から退避させ、その退避に伴い前記画像制御回路は該電子ディスプレイの前記区画表示をなくして全面表示とすることを特徴としたパチンコ遊技機。
【発明の詳細な説明】
【技術分野】
【０００１】
本発明は、液晶表示装置等の電子ディスプレイを具備すると共に、該電子ディスプレイの前面に出没する枠状装飾部材を設けることにより演出効果を増大させられる遊技機に関するものである。
【背景技術】
【０００２】
第１種パチンコ遊技機は、周知のように、遊技盤の中央に液晶表示装置等の電子ディスプレイが設けられ、該電子ディスプレイの下方に設けられた始動入賞口に遊技球が入賞することにより、該電子ディスプレイに数字、記号、またはキャラクタ等の図柄が複数列にて変動表示され、その変動が例えば「☆☆☆」または「７７７」のように揃った状態で停止すると、大当たり、即ち、遊技者に有利な特別遊技状態となり、大入賞口が継続的に開くことから一時に多数の遊技球を入賞させることができるように構成されたものである。
【０００３】
また、下記特許文献１に示されたように、電子ディスプレイの上部に電動式の装飾可動体を設け、該電子ディスプレイの表示と連動させて該装飾可動体を上下動させることにより、遊技の面白みが増すように演出することも行われている。
【特許文献１】特開２００７−７０５７号公報（第３−５頁、図１、図２、図４）
【発明の開示】
【発明が解決しようとする課題】
【０００４】
ところで、近時の遊技機では、リアリティーのある演出をする目的から上記電子ディスプレイを益々大型にする傾向にあるが、単に表示画面を大型化しただけでは、遊技機としての面白み出ない。このため、遊技機において遊技者を惹きつけ得るような斬新な演出が必要となっている。
そこで本発明は、大型の電子ディスプレイを設けた遊技機における新たな演出を可能にし、遊技の面白みを一段と増すことができるようにするものである。
【課題を解決するための手段】
【０００５】
そのために請求項１に記載した発明は、一対の装飾可動体は、下端部が支軸により軸着されたアーム部の上端に一方の枠状装飾部材を延設してなる一方の装飾可動体と、上端部が支軸により軸着されたアーム部の下端に他方の枠状装飾部材を延設してなる他方の装飾可動体とからなり、一方の装飾可動体のアーム部と他方の装飾可動体のアーム部を前後に交差させることで、一方の枠状装飾部材が電子ディスプレイの前面の上部に配置され、他方の枠状装飾部材が電子ディスプレイの下部に配置され、一方の装飾可動体のアーム部に支持ピンを設け、他方の装飾可動体のアーム部に該支持ピンが遊挿される保持孔を設けることで互いのアーム部を枢着し、一方の装飾可動体のアーム部に電動アクチュエータを連繋し、該電動アクチュエータを駆動し一方の装飾可動体を揺動させることで該揺動が前記支持ピンを介して他方の装飾可動体に伝達され、これにより一方の装飾可動体が下降するのと連動して他方の枠状装飾部材が上昇して電子ディスプレイの前面に出現し、一方の枠状装飾部材が上昇するのと連動して他方の枠状装飾部材が下降して電子ディスプレイの前面から退避するように構成され、前記電子ディスプレイの表示を制御する画像制御回路と、前記電動アクチュエータを制御する仕掛制御回路とを備え、遊技盤に設けられた始動入賞口に遊技球が入賞することにより大当たりであるかハズレであるかが判定され、その判定結果に則して複数の演出の中から１の演出が選択され、特定条件が満たされた場合に前記仕掛制御回路は電動アクチュエータを駆動させることで前記枠状装飾部材を電子ディスプレイの前面に出現させるとともに前記画像制御回路は電子ディスプレイの該枠状装飾部材によって区画された部分に大当たりを予告する予告表示をすることで該電子ディスプレイに該予告表示を区画表示した後、前記仕掛制御回路は前記電動アクチュエータを駆動させることで前記枠状装飾部材を該電子ディスプレイの前面から退避させ、その退避に伴い前記画像制御回路は該電子ディスプレイの前記区画表示をなくして全面表示とすることを特徴とする。
【０００６】
請求項１に記載した発明では、枠状装飾部材が出現することで電子ディスプレイの表示が該枠状装飾部材によって囲われた区画域内と区画域外とに区分され、電子ディスプレイはその区画域ごとに演出表示をする一方、枠状装飾部材が退避したときは区画域ごとに区分することなく、電子ディスプレイの全面で演出が行われるように変更される。
【発明の効果】
【０００８】
本発明によれば、大型の電子ディスプレイを使用し、該電子ディスプレイの前面に出没する枠状装飾部材との融合により従来にない斬新な演出を可能にする。このため、遊技の面白みを一段と増すことができる。
【発明を実施するための最良の形態】
【０００９】
次に本発明に係る遊技機の実施形態をパチンコ遊技機について図面に従い説明する。図１は本発明に係るパチンコ遊技機の正面図、図２は同前側から見た斜視図である。１は外枠であり、その前面の遊技盤取付枠（図示せず。）に遊技盤２が配置されると共に該遊技盤取付枠の前側に遊技盤２を覆うようにして前面枠３が開閉自在に軸着される。該前面枠３には中央に前記遊技盤２の遊技部２ａが臨む窓開口４が開設され、該窓開口４に合成樹脂製またはガラス製の透明板を前後に配置した透明板ユニット５が装着される。そして、窓開口４を介して前側から前記遊技部２ａが視認できるようになっている。
【００１０】
前面枠３は合成樹脂により成形され、その前面であって窓開口４の下縁に、前方へ張り出させるようにして打球発射部（図示せず。）に供給される遊技球を貯留する球受皿６が一体に設けられる。該球受皿６の一側上面に操作部６ａが設けられ、該操作部６ａに遊技者が任意に操作し得る主操作ボタン７を設けると共に、該主操作ボタン７から少し離れて隣り合うように夫々矢印が４方向に印字された４つの選択キー８ａ〜８ｄとその中心に位置する選択キー８ｅが設けられる。また、前面枠３の下部一側には、打球発射部から発射される打球の打球力を調整するための打球力調整ハンドル９が設けられる。
【００１１】
遊技盤２面の遊技部２ａはガイドレール１０で囲まれ、そのほぼ中央で一側（図１では右側。）に寄せて大型の変動表示装置１１が配設される。該変動表示装置１１の下方の遊技盤２面には始動入賞口１３が配設されている。また、該始動入賞口１３の下方には後述するように大当り状態になったときにソレノイドが作動することで開放状態となり一度に多くの遊技球を入賞させることが可能となる大入賞口１４が配設されている。
【００１２】
始動入賞口１３は一対の開閉翼片１３ａ，１３ａを有し、該開閉翼片１３ａ，１３ａはソレノイドの作動により起立して遊技球が入賞し難い状態と、外側に傾倒して開くことにより遊技球が入賞し易い状態とに変化するいわゆるチューリップ型のものである。１５は遊技球が通過する通過チャッカーであり、該通過チャッカーにより遊技球が電気的に検出されることにより、別途に「○×」の抽選が行われ、その結果が「○」になると、始動入賞口１３の開閉翼片１３ａ，１３ａがソレノイドが作動することで一回短時間だけ開く。１６は普通入賞口、１７はガイドレール１０の内周縁に沿って配置される電飾を兼ねたレール飾りである。
【００１３】
図３〜図６に示すように変動表示装置１１は、前後面が開口１９する合成樹脂製の箱枠体２０と、該箱枠体２０の後面に取着される電子ディスプレイ１２とから構成される。箱枠体２０の前側板２０ａの前側に取付板２１が取着される。また、取付板２１の正面から見てその上部と右側部とに前方へ突出する略弧状の縁枠部２２が周設されている。そして、該縁枠部２２に沿ってその内側に多数の星型の立体模様をあしらった飾り枠体２３が配設される。また、取付板２１の一側（図１では左側。）にワープ通路２４が設けられ、該ワープ通路２４に入った遊技球はステージ２５上に導かれる。
【００１４】
ステージ２５は取付板２１における開口１９の下縁部に沿って前記ワープ通路２４の出口と連なるよう形成され、該ステージ２５は上面中央部を高くし、その左右の長手方向に沿って波状に湾曲して形成され、図７に示すように前記ワープ通路２４とは反対側の終端に上方へ起立する止め板２６が設けられる。該止め板２６の外側には、飾り枠体２３の星型の立体模様間に形成され右下側領域Ｅ２に通ずる逃し通路２７が設けられ、該止め板２６を乗り越えた遊技球を逃し通路２７を介して再び右下側領域Ｅ２に戻すようにしている。
【００１５】
また、ステージ２５の中央下方であって取付板２１に始動入賞口１３の真上に位置する球排出口２８が開設されている。また、取付板２１の後側に開口１９を覆う透明な合成樹脂板３１が配置され、該合成樹脂板３１は電子ディスプレイ１２の表示画面１２ａが遊技球によって破損しないように保護している。また、該合成樹脂板３１の後面に接するようにして開口１９の周縁に後方へ突出する飾り縁部３２が設けられる。ステージ２５の中央後側には前面が開放された球受口３３が設けられる。該球受口３３はステージ２５の中央上面よりも上方へ突出しており、かつ、前記球排出口２８と連通している。このため、ステージ２５上面を左右にゆっくり転動する遊技球であって、球受口３３に入った遊技球は、球排出口２８から遊技盤２面に排出される。
【００１６】
また、箱枠体２０の内部の一側、正面から見て左側に一対の装飾可動体３６ａ，３６ｂを配設する。図８（イ）（ロ）に示すようにこの内の一方の装飾可動体３６ａは、上下方向に配置されたほぼ直線状のアーム部３８と、その上端に延設され二つの半円が横に並んだ形状をなす枠状装飾部材３９とからなる。そして、該アーム部３８の下端部が箱枠体２０に支軸４０により軸着され、電子ディスプレイ１２の前面１２ａに沿って自在に揺動する。また、他方の装飾可動体３６ｂは、上下方向に配置されたほぼ直線状のアーム部４１とその下端に延設されほぼＶ字型形状をなす枠状装飾部材４２とからなる。そして、該アーム部４１の上端部が箱枠体２０に支軸４３により軸着され、電子ディスプレイ１２の前面１２ａに沿って自在に揺動するようになっている。これら一対の装飾可動体３６ａ，３６ｂは両アーム部３８，４１で前後に交差し、一方のアーム部３８から支持ピン４４が突設され、他方のアーム部４１に該支持ピン４４が遊挿される保持孔４５が開設される。そして、支持ピン４４を保持孔４５に遊挿し枢着した状態で、一対の装飾可動体３６ａ，３６ｂがそれぞれ支軸４０，４３を中心として揺動する。
【００１７】
また、図９（イ）〜（ハ）に示すように下端で軸着された一方の装飾可動体３６ａのアーム部３８に、その支軸４０近傍の一側に位置させて該装飾可動体３６ａの揺動面と平行な袖板４６が一体に張設され、該袖板４６に前記支軸４０を通る直線に沿って細長孔４７が開設される。箱枠体２０に、動力伝達手段としての従動歯車４８が支軸４９により袖板４６と前後で一部重なるようにして軸着される。該従動歯車４８は一方の装飾可動体３６ａの揺動面と平行な面内で回動し、その後面には、前記細長孔４７に挿通する係合ピン５０が突設される。
【００１８】
また、従動歯車４８に近接させて箱枠体２０に、駆動軸５１ａに固着された駆動歯車５２を前記従動歯車４８に噛合させる電動アクチュエータとしての駆動モータ５１が取着される。前記従動歯車４８の前面に円環状の筒部５３が同心円状に突設され、その外周の一側に透光性のスリット５４が設けられる。５５は、箱枠体２０に投光部５５ａと受光部５５ｂとを固設し、筒部５３の内側と外側にそれぞれ該投光部５５ａと受光部５５ｂとを対向させる該スリット５４を光学的に検出するフォトセンサからなる回転検出センサである。また、図６に示すように前記両枠状装飾部材３９，４２はそれぞれ前面が開放される空洞状に形成され、その前面が半透明なレンズ部材５６により覆われ、内部に複数個の発光体であるＬＥＤ５７が等間隔に配置されている。
【００１９】
一対の装飾可動体３６ａ，３６ｂは、常態ではそれら枠状装飾部材３９，４２が互いに離れるように揺動し、図１０に実線に示すように箱枠体２０における前側板２０ａと後側板２０ｂとの間の上部と下部にそれぞれ分散して設けられた所定の収納スペース５８ａ，５８ｂに位置し、いずれもパチンコ遊技機Ｐの前側からは見えないようになっている。そして、駆動モータ５１の駆動軸５１ａが一定方向に回動すると、駆動歯車５２と噛合する従動歯車４８が回動して係合ピン５０が細長孔４７内を往復動する。これに伴い、一方の装飾可動体３６ａが揺動し、これと連動して他方の装飾可動体３６ｂも揺動する。これにより、一方の枠状装飾部材３９が上から下降すると共に他方の枠状装飾部材４２が下から上昇し、図１０に鎖線に示すように電子ディスプレイ１２の前面中央で両枠状装飾部材３９，４２が接して合着する。これによりハート形が形成される。なお、この状態で駆動モータ５１は一旦停止し、再び駆動モータ５１が駆動して駆動歯車５２が同方向へ回転することにより、両枠状装飾部材３９，４２が離れて互いに上下方向へ別れ、両枠状装飾部材３９，４２は電子ディスプレイ１２の前面から退避して元の収納スペース５８ａ，５８ｂに収納する。
【００２０】
図１０に実線で示したように前記両装飾可動体３６ａ，３６ｂが収納スペース５８ａ，５８ｂに収納した状態では、従動歯車４８における筒部５３のスリット５４を回転検出センサ５５で検出してその位置で両装飾可動体３６ａ，３６ｂが停止するように駆動モータ５１を停止させる。両装飾可動体３６ａ，３６ｂが一往復して収納スペース５８ａ，５８ｂへ戻ってきたとき、スリット５４が回転検出センサ５５で検出されるようになっており、その中間位置、すなわち従動歯車４８が前記位置から半回転した位置、換言すると両枠状装飾部材３９，４２が図１０鎖線のように出現した位置では、駆動モータ５１が自動的に停止するようになっている。
【００２１】
一方、前記箱枠体２０の後側板２０ｂにおける一側隅角部、正面から見て開口１９の右下隅に隅角覆い板７１が着脱自在に取着され、該隅角覆い板７１の前面に携帯電話器の外形を模した仕掛け飾部材７２が配置される。該仕掛け飾部材７２は、図１１に示すように隅角覆い板７１に固着される台枠７３と該台枠７３に取着される保持枠７４と該保持枠７４に取着される電話ケース体７５とからなる。該台枠７３は、台板７３ａの裏面の両側に一対のビス孔７６，７６が設けられ、台板７３ａの両側縁に後方へ屈曲する側板７３ｂ，７３ｂが設けられると共に両側板７３ｂ，７３ｂの上・下端部にそれぞれ軸孔７７，７７が開設される。
【００２２】
保持枠７４は、台枠７３より大きく略縦長長方形状に成形され、その前面板７４ａの両側縁に前端縁がそれぞれ下方に進むに従い前方へ迫り出すような傾斜面に形成される側面板７４ｂ，７４ｂが設けられ、両側面板７４ｂ，７４ｂ間に前記上下の各軸孔７７に遊嵌する軸７８，７８が固着される。これら上下の軸７８，７８は、平行でありかつ前面板７４ａに対しても平行に位置する。前面板７４ａの両側であって両側面板７４ｂ，７４ｂの内側には、前面板７４ａの中央部を残して縦長の切欠開口７９，７９が設けられ、各切欠開口７９，７９に台枠７３のビス孔７６，７６が対応している。また、前面板７４ａの中央部は台枠７３の後側に位置し、その中央部の所定位置に縦長の連通孔８０が開設される。保持枠７４の下端縁から両側板７４ｂ，７４ｂの前端縁の傾斜に沿って受止板部８１が延設され、該受止板部８１の中央に後記する配線基板８７のコネクター９０を挿通させる透孔８２が開設される。８３，８３は、該透孔８２両側の受止板部８１と前面板７４ａの上端両側に開設されたビス挿通孔である。
【００２３】
図１１乃至図１４に示すように、前記電子ディスプレイ１２の前面右側に設けられる仕掛け飾部材７２は、携帯電話器の外観を呈するように合成樹脂材により電話ケース体７５を成形したもので、複数の模擬テンキー８４が半透明な樹脂により形成した操作面部７５ａとその上部に連接され縦長長方形状の窓孔８５が開設された表示部７５ｂが形成され、窓孔８５は透明な樹脂板８５ａにより覆われている。また、操作面部７５ａの裏面には、その上下部に前記各ビス挿通孔８３に対応位置してビス孔８６が設けられている。８７は保持枠７４と操作面部７５ａとの間に介在される配線基板であり、その前面に前記各模擬テンキー８４に対応位置させてそれぞれＬＥＤ８８が配設されている。また、配線基板８７の下端部両側にビス孔８６，８６に対応位置させてビス挿通孔８９が設けられている。これら両ビス挿通孔８９間の裏側には、コネクター９０が設けられる。
【００２４】
前記台枠７３の下方であって隅角覆い板７１の前面に、中央より少し下方を支軸９１により軸着して隅角覆い板７１の前面に沿って揺動する作動杆９２が配置される。また、該作動杆９２の下側に、一側面にカム溝９３を刻設した回転円板９４が配置される。該回転円板９４はその裏側に隅角覆い板７１に固着された電動アクチュエータとしての駆動モータ９５の駆動軸９５ａに軸着され、隅角覆い板７１の前面に沿って回転し得るようになっている。作動杆９２の上端前面に前記保持枠７４の連通孔８０に係合する第一係合ピン９６ａが突設され、下端後面に前記回転円板９４のカム溝９３に嵌入する第二係合ピン９６ｂが突設される。カム溝９３は、回転円板９４の中心を囲うようにして略三角形状に形成される。また、９８は回転円板９４の外周縁に等間隔を保持して３つの透光性のスリット９７を形成し、該回転円板９４を両側から挟むように投光部９８ａと受光部９８ｂとを配置することにより、該回転円板９４の回転状態を光学的に検知するフォトセンサからなる回転検出センサである。該回転検出センサは、仕掛け飾部材７２が原点位置（向って右側に移動した状態）にあるときに投光部９８ａから出た光がスリット９７を通過して受光部９８ｂに受光されることで、その原点位置が検出されるようにしている。
【００２５】
また、両ビス孔７６，７６が保持枠７４の両切欠開口７９，７９に対応するようにして、台枠７３の両側板７３ｂ，７３ｂの上下部に開設された軸孔７７，７７に水平な支持軸７８，７８を遊挿すると共に、該軸７８，７８の両端部を保持枠７４の両側面板７４ｂ，７４ｂに固着することにより保持枠７４が台枠７３に取着される。また、保持枠７４の前面に、ビス挿通孔８９，８９が受止板部８１のビス挿通孔８３，８３に一致するようにして配線基板８７を当接する。この際、コネクター９０は、透孔８２から後方へ突出させておく。また、保持枠７４の前面に、操作面部７５ａを被せる。そして、保持枠７４の裏側から各ビス挿通孔８３，８３を介して操作面部７５ａの裏面の各ビス孔８６にビス９９を螺締してなる。
【００２６】
こうして組み立てられた仕掛け飾部材７２は、隅角覆い板７１の前面に配置し、前記台枠７３のビス孔７６，７６に対応して隅角覆い板７１に設けられたビス挿通孔１００，１００を介して該各ビス孔７６にビス１０１を螺締する。このため仕掛け飾部材７２は支持軸７８，７８に沿って自在に左右に摺動可能となり、駆動モータ９５が駆動されると回転円板９４が回転して作動杆９２を小刻みに左右に揺動させる。これに伴い仕掛け飾部材７２が図１４に破断線で示したように左右に揺動する。そして、該仕掛け飾部材７２は電子ディスプレイ１２の前面に位置するため窓孔８５から該電子ディスプレイ１２の表示の一部が透視され、該電子ディスプレイ１２に例えば携帯電話の一般的な待受画面を表示することにより、その表示が該窓孔８５から透視され、該仕掛け飾部材７２が実際の携帯電話器のように演出される。
【００２７】
図１５はこの遊技機を作動させる遊技制御基板のブロック図である。図中、２００はＣＰＵとＲＡＭ，ＲＯＭおよびＩ／Ｏとからなる主制御回路、２０１は該主制御回路に接続され賞球の払出を制御する払出制御回路、２０２は該主制御回路に接続されこの遊技機の演出効果を高めるために設けられた演出制御回路、２０３は該演出制御回路に接続された画像制御回路、２０４は該演出制御回路に接続された仕掛制御回路である。なお、これら払出制御回路２０１、演出制御回路２０２、画像制御回路２０３、および仕掛制御回路２０４についても主制御回路２００と同様に夫々ＣＰＵとＲＡＭ，ＲＯＭおよびＩ／Ｏからなる。
【００２８】
前記主制御回路２００には、前記始動入賞口１３に入賞した遊技球を検出するスイッチ２０５、その開閉翼片１３ａ，１３ａを開閉動させるソレノイド２０６、前記通過チャッカー１５を通過する遊技球を検出するスイッチ２０７、前記大入賞口１４に入賞した遊技球を検出するスイッチ２０８、前記大入賞口１４を開閉させるソレノイド２０９、前記普通入賞口１６に入賞した遊技球を検出するスイッチ２１０が夫々接続される。また、払出制御回路２０１には、該主制御回路２００からの指令により球受皿６に所定数の賞球を払い出すために必要な賞球払出装置を作動させるモータ２１１等が接続される。また、画像制御回路２０３に前記電子ディスプレイ１２、前記主操作ボタン７、前記選択キー８ａ〜８ｅ、および遊技者に対し効果音および遊技に必要な音声案内等を発声させるスピーカ２１２が接続され、仕掛制御回路２０４には、前記装飾可動体３６ａ，３６ｂを作動させる電動アクチュエータたる駆動モータ５１、および前記仕掛け飾部材７２を揺動させる電動アクチュエータたる駆動モータ９５が接続されているほか、遊技盤２および前面枠３等に設けられた各種装飾ランプ２１３、２１４が接続される。
【００２９】
このように構成したパチンコ遊技では、スイッチ２０７により通過チャッカー１５を通過する遊技球が検出されると、主制御回路２００にて「○×」の抽選がなされ、その結果が「○」であるとソレノイド２０６を作動させ、始動入賞口１３の開閉翼片１３ａ，１３ａが一回だけ短時間開かれ、該始動入賞口１３に遊技球が入賞し得るようになる。また、ワープ通路２４に流入した遊技球がステージ２５上面に放出され、該ステージ２５中央の球受口３３に入ると、その下方の球排出口２８から遊技盤２面に排出されることから、始動入賞口１３に遊技球が入賞する機会が増す。そして、始動入賞口１３に遊技球が入賞し、いわゆる始動条件が成立すると、電子ディスプレイ１２に数字、記号、またはキャラクタ等の図柄が縦３列にて変動表示され、その変動が例えば「２２２」、「☆☆☆」または「７７７」のように揃った状態で停止すると、大当たりとなり、ソレノイド２０９が作動して大入賞口１４が継続的に開かれることから、一時に多数の遊技球を入賞させることができる。
【００３０】
なお、このようにして大当たりが発生する点は、従来のパチンコ遊技機と同様であるが、本発明では始動入賞口１３に入賞した遊技球がスイッチ２０５により検出されると、主制御回路２００は大当たりを決定するための乱数を取得し、該乱数により大当たりであるかハズレであるかを判定すると共に、演出態様等を決定するためにさらに複数の乱数が取得され、その乱数値を判別することにより大当たりであるかハズレであるかの結果を遊技者に知らせるにあたっての種々の演出が選択される。図１６はこの演出選択過程を示すフローチャートで、主制御回路２００から発信された図柄変動開始コマンドが演出制御回路２０２に受信されると、乱数値によりリーチ状態表示の有無および大当たりの有無がそれぞれ決定され、その状況に従い図１７の表１に示したテーブル１〜３が参照され、さらにその演出の態様が該乱数値に従い同表１の「演出Ａ」〜「演出Ｃ」または「演出なし」より選択され、画像制御回路２０３に選択された演出を実行するべく指令を出す。
【００３１】
指令を受けた演出制御回路２０２はその決定に基いて画像制御回路２０３および仕掛制御回路２０４にそれぞれ作動を指令する。図１８は演出制御回路２０２の指令を受けて画像制御回路２０３が作動する過程を示したフローチャートである。同図に示すように、予告中でなく、予告タイミングであり、予告ありであると、仕掛制御回路２０４に枠状装飾部材３９，４２を出現させる指令、即ち、ハート出現指令をすると共に、該枠状装飾部材３９，４２によって囲われた電子ディスプレイ１２の一部に予告表示をさせ、その外側にイメージ表示をさせる。そして所定時間経過後にその予告表示を拡大表示すると共に、仕掛制御回路２０４に該枠状装飾部材３９，４２を退避させる指令を出す。また、図１９は仕掛制御回路２０４が枠状装飾部材３９，４２を制御する過程を示すフローチャートであり、上記画像制御回路２０３からの出現指令および退避指令に従い、駆動モータ５１を作動させ、枠状装飾部材３９，４２を出現または退避させる。
【００３２】
図２０の（イ）→（ロ）→（ハ）および（イ）→（ニ）→（ホ）は上記演出の推移を具体的に例示するもので、始動条件が成立し画像制御回路２０３の作動により電子ディスプレイ１２に図柄が３列にて上から下に流れる如くに変動表示された後、同図（イ）に示したように左列と右列とが同一図柄（例えば「７」）にて停止することでリーチ状態となると、大当たりが発生することを遊技者に予告するものとして例えば表１の演出Ａが選択されていたとすると、仕掛制御回路２０４が駆動モータ５１を作動させ、同図（ロ）に示したように枠状装飾部材３９，４２が電子ディスプレイ１２の前面に出現して該枠状装飾部材が合着し、ハート形が形成される。そしてそれと同時に該枠状装飾部材によって囲われた部分に大当たりを予告する表示（この場合、「タヌキ」のキャラクタを表示）がなされる。なお、図２１にはこの演出のタイミングチャートを示す。同タイミングチャートにも示したように電子ディスプレイ１２がこのように枠状装飾部材により囲われた部分に予告表示をする間は、該電子ディスプレイ１２におけるこの囲われ部分の外では☆印を点滅させる等のイメージ表示がなされる。そして、この予告表示は徐々に拡大され、その拡大に伴い該枠状装飾部材が図２０（ハ）に示したように分離して該電子ディスプレイ１２の前面から退避する。枠状装飾部材のこのような動きは、この電子ディスプレイ１２の予告表示がハート形の殻を打ち破って外に出てくるようなインパクトのある印象を遊技者に与える。このような内容の演出Ａがされた後は電子ディスプレイ１２の表示はまた元の全面表示に戻り、「７７７」等により大当たり発生を表示したり、「７８７」等によりハズレを表示する。
【００３３】
また、表１の演出Ｂが選択されていたとすると、上記タヌキのキャラクタに換わって図２０（ニ）に示したように、特定の標識（この場合、「！！」のシンボルマークを表示）が大当たりを予告する表示として上記のように枠状装飾部材によって囲われた部分に表示され、この予告表示も同様に徐々に拡大され、その拡大に伴い該枠状装飾部材が同図（ホ）に示したように分離して該電子ディスプレイ１２の前面から退避する。このような内容の演出Ｂがされた後に電子ディスプレイ１２の表示が元の全面表示に戻り、「７７７」の大当たり表示、或いは「７８７」等のハズレ表示がされる。このように、枠状装飾部材３９，４２を出現させ該枠状装飾部材によって囲われた狭い部分に予告表示をすることにより、遊技者の目線を一点に集中させ、これによって大当たり発生に対する遊技者の期待が助長され、遊技者をワクワクとさせることができる。なお、表１の演出Ｃについては例示しないが同様に予告表示のキャラクタが他のものに変更される。そして枠状装飾部材３９，４２の出現を伴うこれらの演出により、遊技者に大当たり発生を強く予感させられることから、この遊技機の興趣を増大させる。なお、表１の演出なしが選択された場合は以上のような演出がされることなく図柄が変動停止する。
【００３４】
次に、大当たりまたはハズレの結果を遊技者に知らせるにあたっての演出として、いったんはハズレ表示をした後に、その表示を再変動させ、大当たり表示に復活させる復活演出について図２２〜図２５に従い説明する。この復活演出も上記のように取得された乱数を判別することにより様々なパターンで実行されるものであり、図２２は演出制御回路２０２からの指令により画像制御回路２０３が作動し電子ディスプレイ１２の表示を制御する過程を示すフローチャートである。同図に示すように、復活演出中でなく、電子ディスプレイにハズレ表示がされ、かつ上記乱数により復活演出ありであることが確認されると、仕掛制御回路２０４に枠状装飾部材３９，４２を出現させる指令、即ち、ハート出現指令をすると共に、そのハズレをもたらした図柄（この場合「６」）を該電子ディスプレイの中央に位置修正および大きさ修正をする。仕掛制御回路２０４は前述した図１９のフローチャートと同様の作動をし、図２３（イ），（ロ）に示したように枠状装飾部材３９，４２を出現させ、該枠状装飾部材が合着することでそのハズレをもたらした図柄（この場合「６」）を囲う。そして同図（ハ）に示したように、囲われた状態で該図柄が再変動し、同図（ニ）に示したように他の列の停止図柄と同一図柄にて停止させた後、仕掛制御回路２０４に枠状装飾部材３９，４２を退避させる指令をし、同図（ホ）に示したように、該枠状装飾部材を電子ディスプレイの前面から退避させると共に、その同一図柄に揃った「７７７」等の大当たり図柄を位置修正および大きさ修正し、電子ディスプレイの全面に表示する。なお、乱数によって結果がハズレと判別されている場合は、たとえこのような復活演出により枠状装飾部材３９，４２によって囲われた状態で図柄が再変動したとしても結局は同一図柄に揃うことはない。図２４はこの復活演出の様相を示すタイミングチャートである。
【００３５】
要するに、この復活演出により、たとえハズレ表示がされた場合であっても、遊技者に大当たりになる期待を再度抱かせることで遊技者をワクワクさせることができ、枠状装飾部材３９，４２の出現はこのワクワク感を一層助長させることができ、この遊技機の遊興性を増大させる。なお、このような復活演出は、変動途中、或いは、いったんハズレ表示がされた後など、条件が整えば何時でも実行可能であると共に、表示図柄が上記のようにリーチ状態となった場合に実行されるだけでなく、図２５にタイミングチャートによって示したように全部の列の図柄を再変動させることもできる。
【００３６】
次にこの遊技機が確変モード中であるときに実行される演出を説明する。確変モードとは、この種のパチンコ遊技機において既によく知られているように、例えば「７７７」（ラッキーセブン）のように予め決められた数字（図柄）にて大当たり表示がされた場合に、それ以降は一定回数を限度として大当たり発生の確率を通常時よりも高く設定したり、同時に始動入賞口１３の開時間を通常時よりも長くしたりすることにより、その限られた一定期間だけを通常時よりも遊技者にとって有利になるようにする態様のことである。この遊技機では図２６のフローチャートに示したように、確変モード中である場合のように特定条件が成立していて前記始動入賞口１３に遊技球が入賞し始動条件が成立した場合、仕掛制御回路２０４に枠状装飾部材３９，４２を出現させる指令、即ち、ハート出現指令をする（仕掛制御回路２０４の作動は前記した図１９のフローチャートと同じ）ことにより、図２７（イ）（ロ）に経緯を示したように、枠状装飾部材３９，４２が電子ディスプレイ１２の前面に出現して該枠状装飾部材が合着し、そのハート形に囲われた部分だけで３列の図柄が変動表示する。なお、該枠状装飾部材の外では☆印を点滅させる等のイメージ表示がなされる。そして、同図（ハ）に示したように枠状装飾部材によって囲われた部分の図柄の変動表示がリーチ状態になると、該枠状装飾部材が退避し、同図（ニ）に示したように変動表示部分がさらに拡大してそのリーチ状態の表示が継続された後、同図（ホ）に示したように変動停止し、大当たりまたはハズレが表示される。なお、リーチ状態にならなかった場合は、枠状装飾部材が退避することなく、次にまた始動条件が成立すると該枠状装飾部材に囲われた部分だけで図２７（ロ）に示したような３列の図柄変動表示がなされる。要するに、該枠状装飾部材はリーチ状態になった場合だけいったん退避する。図２８はこのタイミングチャートを示す。
【００３７】
このように、確変モードであるときなど特定条件が成立していて始動条件が成立した場合、枠状装飾部材３９，４２が出現し、該枠状装飾部材により囲われた部分でのみ図柄が変動表示されるようにすることで、遊技者に通常時の図柄変動とは異なる趣を与えることができる。そして、このような演出により、特定条件が成立していることの有利性を遊技者に強調することができるので、この遊技機の興味を増大させる。
【００３８】
また、図２９に例示した演出は、同図（イ）に示したように３列の図柄が「２２２」で変動停止し、大当たりが発生したものの、このように揃った「２」は予め決められた数字（図柄）ではないことから、上記のように有利な確変モードにはならない大当たりであると思われたとき、同図（ロ）に示したように枠状装飾部材３９，４２が出現してこの停止図柄「２２２」を囲い、該枠状装飾部材によって囲われた部分で同図（ハ）に示したように３列の図柄が一斉に同方向に同速度で変動して同図（ニ）に示したように「２２２」の表示が「７７７」に変換されて変動停止した後、同図（ホ）に示したように該枠状装飾部材が退避しその「７７７」の表示が拡大することで、有利な確変モードの大当たりに変換させる格別の演出である。このように、いったんは確変モードでないと思われても、該枠状装飾部材３９，４２の出現を契機として遊技者にとってより有利な状況がもたらされるようにすることで、該枠状装飾部材の出現が遊技者に一層の期待を持たせることとなり、この遊技機の遊興性を増す。
【００３９】
次に、携帯電話器の外観に形成された前記仕掛け飾部材７２により、遊技者に大当たり発生を予感させるようにする予告演出（以下、「携帯演出」という。）について説明する。前記したように仕掛け飾部材７２は窓孔８５から透視し得る電子ディスプレイ１２の一部に普段は携帯電話の一般的な待受画面のような表示をすることにより、該表示があたかも実際の携帯電話器の液晶表示部に表示されたものであるかのように見受けられる。そして、この携帯演出においても、すでに説明した図１６に示すフローチャートと同様に乱数を判別する演出選択過程を経て、図３０の表２に示したように、４つの「演出Ａ」〜「演出Ｄ」のうちのいずれか、または「演出なし」が選択され、演出制御回路２０２にこうして選択された演出を実行するべく指令が出される。
【００４０】
指令を受けた演出制御回路２０２は、その決定に基き演出Ａ〜演出Ｄの作動を画像制御回路２０３および仕掛制御回路２０４に指令する。図３１は演出制御回路２０２から指令を受けた画像制御回路２０３が実行するこの携帯演出のフローチャート、図３２は該画像制御回路２０３からの指令により仕掛け飾部材７２を揺動させる仕掛制御回路２０４のフローチャート、図３３〜図３５はそのタイミングチャートである。この携帯演出では、図３１に示したように、予告中でないこと、予告タイミングであること、および予告あり等の条件が整うと、電子ディスプレイ１２の一部に表示されていた待受画面の表示が、図３６に例示したように、「メール受信」の文字と共に、「ボタンを押してね！」といった電子メール受信表示に変えられる。この指令は、このような電子ディスプレイ１２上のメール受信表示を左右に揺動させる揺動表示を伴うものとする。また、一定の遅延時間が経過した後に仕掛制御回路２０４に揺動開始指令を出すことで、図３２に示したようにその揺動開始指令を受けた仕掛制御回路２０４が駆動モータ９５を回転駆動させて仕掛け飾部材７２を上記メール受信表示と同期するように左右に揺動させる。なお、上記遅延時間は仕掛け飾部材７２の揺動をメール受信表示の揺動よりも僅かに遅らせる（見た目では認識できないほどの僅かな時間だけ遅らせる）ためのものである。
【００４１】
そして、前記主操作ボタン７の操作を有効化し、前記回転検出センサ９８によって仕掛け飾部材７２の原点位置を検出し、その原点位置の検出回数によって揺動回数Ｎを計測する。そこで、遊技者が主操作ボタン７を操作すると、電子ディスプレイ１２に上記メール受信表示に代えてメール開封表示セットがされ、その揺動表示を停止させると共に、仕掛制御回路２０４に揺動停止指令を出し仕掛け飾部材７２の揺動を停止させる。そのとき仕掛け飾部材７２は回転検出センサ９８によって原点位置にあることが検出されていることから常に原点位置にて停止し得る。
【００４２】
そして、遊技者が主操作ボタン７を操作すると、図３４に示したように、仕掛け飾部材７２の揺動を原点位置にて停止すると共に、電子ディスプレイ１２に上記メール受信表示に代えてメール開封表示がなされる。即ち、演出Ａが選択されていた場合は、図３７に例示したように「大当たり？」といったようなメール内容が表示され、遊技者に大当たり発生を予告する。なお、演出Ｂが選択されていた場合は主操作ボタン７を操作することによって例えば図３８のようなメール内容が表示され、演出Ｃが選択されていた場合は主操作ボタン７を操作することによって図３９のようなメール内容が表示される。そして、主操作ボタン７が操作されることにより仕掛け飾部材７２は原点位置にて停止することから、これらのメール内容の文字を揺動することなく停止した状態で読むことができる。また、主操作ボタン７が操作されることなく、揺動回数Ｎが４回になると、図３３に示したようにメール開封表示はされず、待受画面がセットされ、該待受画面および仕掛け飾部材７２が原点位置にて停止する。なお、停止後も僅かな時間は主操作ボタン７の操作が有効化されていることから、図３５に示したように、その間に主操作ボタン７が操作されればメール開封表示がされる。このように、この遊技機では、電子メールが届いたかのような形態により遊技者に大当たりの予告がされることで、大当たりへの期待が助長され、遊技性を増すことができる。
【産業上の利用可能性】
【００４３】
本発明は、この実施形態に示したパチンコ遊技機の他、パチスロ機、パロット（登録商標）機、スロットマシン等の遊技機にも利用することができる。なお、パロット機とは、パチンコ球を遊技媒体とするパチスロ機の遊技が可能な遊技機である。
【図面の簡単な説明】
【００４４】
【図１】本発明に係る遊技機の正面図。
【図２】本発明に係る遊技機の斜視図。
【図３】本発明に係る遊技機の変動表示装置の正面図。
【図４】本発明に係る遊技機の背面図。
【図５】本発明に係る遊技機の左側面図。
【図６】本発明に係る遊技機の中央縦断面図。
【図７】本発明に係る遊技機のステージ部位の斜め上から見た斜視図。
【図８】本発明に係る遊技機の作動状態を示す一対の装飾可動体の斜視図。
【図９】本発明に係る遊技機の駆動部を示す装飾可動体の一部の正面図と背面図と左側面図。
【図１０】本発明に係る遊技機の一対の装飾可動体が箱枠体の収納スペースに収納された状態を示す背面図。
【図１１】本発明に係る遊技機の仕掛け飾部材の分解斜視図。
【図１２】本発明に係る遊技機の仕掛け飾り部材部位を断面にして示す箱枠体の右側面図。
【図１３】図１２の拡大側面断面図。
【図１４】本発明に係る遊技機の仕掛け飾り部材部位の作用を示す正面図。
【図１５】本発明に係る遊技機における遊技制御基板のブロック図。
【図１６】本発明に係る遊技機における演出選択過程を示すフローチャート。
【図１７】本発明に係る遊技機における演出選択テーブル。
【図１８】本発明に係る遊技機における電子ディスプレイの表示制御フローチャート。
【図１９】本発明に係る遊技機における枠状装飾部材の制御フローチャート。
【図２０】本発明に係る遊技機における演出の推移図。
【図２１】本発明に係る遊技機における演出のタイミングチャート。
【図２２】本発明に係る遊技機における電子ディスプレイの表示制御フローチャート。
【図２３】本発明に係る遊技機における演出の推移図。
【図２４】本発明に係る遊技機における演出のタイミングチャート。
【図２５】本発明に係る遊技機における演出のタイミングチャート。
【図２６】本発明に係る遊技機における電子ディスプレイの表示制御フローチャート。
【図２７】本発明に係る遊技機における演出の推移図。
【図２８】本発明に係る遊技機における演出のタイミングチャート。
【図２９】本発明に係る遊技機における演出の推移図。
【図３０】本発明に係る遊技機における演出選択テーブル。
【図３１】本発明に係る遊技機における電子ディスプレイの表示制御フローチャート。
【図３２】本発明に係る遊技機における仕掛け飾部材の制御フローチャート。
【図３３】本発明に係る遊技機における携帯演出のタイミングチャート。
【図３４】本発明に係る遊技機における携帯演出のタイミングチャート。
【図３５】本発明に係る遊技機における携帯演出のタイミングチャート。
【図３６】本発明に係る遊技機における携帯演出の表示図。
【図３７】本発明に係る遊技機における携帯演出の表示図。
【図３８】本発明に係る遊技機における携帯演出の表示図。
【図３９】本発明に係る遊技機における携帯演出の表示図。
【符号の説明】
【００４５】
１２              電子ディスプレイ
１３              始動入賞口
３６ａ，３６ｂ    装飾可動体
３９，４２        枠状装飾部材
４０，４３        支軸
３８，４１        アーム部
４４              支持ピン
４５              保持孔
５１              電動アクチュエータ（駆動モータ）
７２              仕掛け飾部材
９５              電動アクチュエータ（駆動モータ）
２００            主制御回路
２０２            演出制御回路
２０３            画像制御回路
２０４            仕掛制御回路
Ｐ                遊技機
【図１】
0004729554.tif 000002
【図２】
0004729554.tif 000003
【図３】
0004729554.tif 000004
【図４】
0004729554.tif 000005
【図５】
0004729554.tif 000006
【図６】
0004729554.tif 000007
【図７】
0004729554.tif 000008
【図８】
0004729554.tif 000009
【図９】
0004729554.tif 000010
【図１０】
0004729554.tif 000011
【図１１】
0004729554.tif 000012
【図１２】
0004729554.tif 000013
【図１３】
0004729554.tif 000014
【図１４】
0004729554.tif 000015
【図１５】
0004729554.tif 000016
【図１６】
0004729554.tif 000017
【図１７】
0004729554.tif 000018
【図１８】
0004729554.tif 000019
【図１９】
0004729554.tif 000020
【図２０】
0004729554.tif 000021
【図２１】
0004729554.tif 000022
【図２２】
0004729554.tif 000023
【図２３】
0004729554.tif 000024
【図２４】
0004729554.tif 000025
【図２５】
0004729554.tif 000026
【図２６】
0004729554.tif 000027
【図２７】
0004729554.tif 000028
【図２８】
0004729554.tif 000029
【図２９】
0004729554.tif 000030
【図３０】
0004729554.tif 000031
【図３１】
0004729554.tif 000032
【図３２】
0004729554.tif 000033
【図３３】
0004729554.tif 000034
【図３４】
0004729554.tif 000035
【図３５】
0004729554.tif 000036
【図３６】
0004729554.tif 000037
【図３７】
0004729554.tif 000038
【図３８】
0004729554.tif 000039
【図３９】
0004729554.tif 000040